【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
閉鎖通路（５５）を有するノズル（１）を備えた、剪断減粘性または揺変性の、液体から粘性のドージング材料用のドージングシステム（３）であって、前記閉鎖通路内で、閉鎖エレメント（２１）が、作動中に、自動制御装置（６３）によって放出方向（Ｅ）および／または後退方向（Ｒ）に制御され、前記閉鎖通路（５５）は、前記放出方向（Ｅ）および／または前記後退方向（Ｒ）に対して垂直な少なくとも１つの横断面において、同一平面上での前記閉鎖エレメント（２１）の横断面に対して、前記閉鎖エレメント（２１）の外面（Ｓ1）と前記閉鎖通路（５５）の内面（Ｓ2）との間に開口ギャップ（５７）を与えるように実現され、前記開口ギャップ（５７）は、少なくとも所々で、前記ドージング材料の出口通路を形成するように、成形および／または寸法決めされ、
前記制御装置（６３）は、少なくとも２つの動作モード（Ｍ1、Ｍ2、Ｍ4、Ｍ5、Ｍ6）での、前記閉鎖エレメント（２１）の異なる動作用の制御信号（ＳＳ1、ＳＳ2）を生成するように実現され、少なくとも前記開口ギャップ（５７）の領域において、前記ドージング材料の粘度を低減するために、作動中に前記閉鎖エレメント（２１）を意図的に移動させるドージングシステム。
【請求項２】
動作モード（Ｍ1、Ｍ5）が、前記閉鎖エレメント（２１）の非常に細かい上下動作を有する動作パターンを含み、そのストローク（Ａ1）および／または振動数および／またはシーケンスが、その粘度を大きく低減するために、前記ドージング材料内の力を克服するように選択される、請求項１記載のドージングシステム。
【請求項３】
動作モード（Ｍ2、Ｍ4、Ｍ5、Ｍ6）が、ストローク（Ａ2、Ａ3）および／または振動数および／またはシーケンスが、前記ドージング材料を前記ノズル（１）の出口開口（１９）を通じて、液滴状または噴出物として放出するのに適するように選択される、前記閉鎖エレメント（２１）の放出動作を有する動作パターンを含む請求項１または請求項２に記載のドージングシステム。
【請求項４】
動作モード（Ｍ4）が、２つの端部位置（Ｓ1、Ｓ2）間の上下動作を有する動作パターンを含み、前記閉鎖エレメント（２１）が、少なくとも１つの端部位置（Ｓ1、Ｓ2）で一定時間保持される、請求項１〜３のいずれか１項に記載のドージングシステム。
【請求項５】
前記制御装置（６３）が、異なる動作パターンおよび／または動作モード（Ｍ1、Ｍ2、Ｍ4、Ｍ5、Ｍ6）を組み合わせるように実現される、請求項１〜４のいずれか１項に記載のドージングシステム。
【請求項６】
動作モード（Ｍ5）が、異なる動作パターンの重ね合わせを含む請求項５記載のドージングシステム。
【請求項７】
前記制御装置（６３）が、異なる動作モード（Ｍ1、Ｍ2、Ｍ4、Ｍ5、Ｍ6）を連続して実行するように実現される請求項５または６記載のドージングシステム。
【請求項８】
前記開口ギャップ（５７）が、前記閉鎖エレメント（２１）の外面（Ｓ1）と前記閉鎖通路（５５）の内面（Ｓ2）との間に、１つの粒子の長さに対応する高さを有する少なくとも１つの間隙を含む、請求項１〜７のいずれか１項に記載のドージングシステム。
【請求項９】
前記閉鎖エレメント（２１）の外面（Ｓ1）と前記閉鎖通路（５５）の内面（Ｓ2）との間に間隙を有する開口ギャップ（５７）を備え、前記間隙によって、前記ノズル（１）の出口開口（１９）の領域における流動抵抗と少なくとも同じ大きさの流動抵抗が、前記ドージング材料に作用する、請求項１〜８のいずれか１項に記載のドージングシステム。
【請求項１０】
複数の交換可能な閉鎖エレメントおよび／または交換可能な閉鎖通路を備え、そのうちの少なくとも１つの閉鎖エレメント（２１）および閉鎖通路（５５）が、前記ドージング材料の出口通路を与えるように、成形および／または寸法決めされる開口ギャップ（５７）を共に形成するような補完的な形状である、請求項１〜９のいずれか１項に記載のドージングシステム。
【請求項１１】
前記閉鎖通路（５５）と前記ドージング材料の出口開口（１９）との間に配置されるドージング材料収集キャビティ（１７）を備え、前記閉鎖エレメント（２１）が、前記ドージング材料収集キャビティを、その形状および／または位置のために完全に満たさないように、前記ドージング材料収集キャビティが、成形および／または配置される、請求項１〜１０のいずれか１項に記載のドージングシステム。
【請求項１２】
少なくとも１つの圧電アクチュエータ（２３ａ、２３ｂ）を備える、前記閉鎖エレメント（２１）の自動制御動作のためのアクチュエータシステム（６１）を備える、請求項１〜１１のいずれか１項に記載のドージングシステム。
【請求項１３】
アクチュエータシステム（６１）および／またはドージング材料リザーバ（７）における圧力を制御するための電子制御装置（６３）を備える、請求項１〜１２のいずれか１項に記載のドージングシステム。
【請求項１４】
液体から粘性のドージング材料用のドージング方法であって、前記ドージング材料がノズル（１）を通じて分配され、前記ノズル（１）が閉鎖通路（５５）を備え、前記閉鎖通路（５５）内で、閉鎖エレメント（２１）が、作動中に開放方向（Ｏ）および／または閉鎖方向（Ｖ）に移動し、前記閉鎖通路（５５）が、前記開放方向（Ｏ）および／または前記閉鎖方向（Ｖ）に対して垂直な少なくとも１つの横断面において、同一平面上で前記閉鎖エレメント（２１）の横断面に対して、前記閉鎖エレメント（２１）の外面（Ｓ1）と前記閉鎖通路（５５）の内面（Ｓ2）との間に開口ギャップ（５７）を与えるように実現され、前記開口ギャップ（５７）は、前記ドージング材料の出口通路を形成するように、成形および／または寸法決めされ、前記閉鎖エレメントが、異なる時間において、少なくとも２つの異なる動作モード（Ｍ1、Ｍ2、Ｍ4、Ｍ5、Ｍ6）のうちの１つで移動し、少なくとも前記開口ギャップ（５７）の領域において前記ドージング材料の粘度を低減するために、前記動作モード（Ｍ1、Ｍ2、Ｍ4、Ｍ5、Ｍ6）の少なくとも１つの間に、前記閉鎖エレメント（２１）を意図的に移動させるドージング方法。
【請求項１５】
液体から粘性のドージング材料用のドージングシステム（３）の製造方法であって、
閉鎖通路（５５）を設ける工程と、
ノズル（１）の作動中に、閉鎖エレメント（２１）を開放方向および／または閉鎖方向に移動させることができるように前記閉鎖通路内に前記閉鎖エレメント（２１）を配置する工程と、
前記開放方向（Ｏ）および／または前記閉鎖方向（Ｖ）に対して垂直な少なくとも１つの横断面において、同一の横断平面上での前記閉鎖エレメント（２１）の横断面に対して、開口ギャップ（５７）が前記閉鎖エレメント（２１）の外面（Ｓ1）と前記閉鎖通路（５５）の内面（Ｓ2）との間に生じるように、前記閉鎖通路（５５）を形成することによって、前記閉鎖エレメント（２１）と前記閉鎖通路（５５）との間に前記開口ギャップ（５７）を実現する工程であって、前記開口ギャップ（５７）が、少なくとも所々に前記ドージング材料の出口通路を与えるように形成および／または寸法決めされる開口ギャップ（５７）を実現する工程と、
作動中に少なくとも２つの動作モード（Ｍ1、Ｍ2、Ｍ4、Ｍ5、Ｍ6）での、前記閉鎖エレメント（２１）の異なる動作用の制御信号（ＳＳ1、ＳＳ2）を生成するように実現され、前記ドージング材料の粘度が前記開口ギャップ（５７）の領域内で低減されるように、作動中に少なくとも１つの動作モード（Ｍ1、Ｍ2、Ｍ4、Ｍ5、Ｍ6）で前記閉鎖エレメント（２１）を意図的に移動させる自動制御装置（６３）に、前記閉鎖エレメント（２１）および／または前記閉鎖エレメント（２１）を動かすためのアクチュエータシステム（６１）を接続する工程と、
を少なくとも含むドージングシステムの製造方法。